(57)【特許請求の範囲】
【請求項１】
折畳み可能に構成され、少なくとも折畳み時に携帯可能な形態を有し、折畳み時に対向する面の一方に第１のポケットが、他方に第２のポケットがそれぞれ設けられ、前記第１のポケットは、ウェットティッシュが多数重畳された状態で封入された携帯用のウェットティッシュ袋が収納可能に構成されると共にポケット片にウェットティッシュ取出し用の窓を有し、前記第２のポケットは使捨てカイロが収納可能に構成されていることを特徴とする携帯型ウェットティッシュ袋入れ。
【請求項２】
カバーの一端にはフラップが設けられ、このフラップは折畳み時に前記カバーの他端を被覆するように構成されると共にホック、ボタン又は面ファスナによって該カバーの表面に係着可能に構成されていることを特徴とする請求項１記載の携帯型ウェットティッシュ袋入れ。
【請求項３】
折畳み片の縁部同士はホック、ボタン、スライドファスナ又は面ファスナによって係着可能に構成されていることを特徴とする請求項１記載の携帯型ウェットティッシュ袋入れ。
【請求項４】
ストラップが設けられていることを特徴とする請求項１〜３いずれか記載の携帯型ウェットティッシュ袋入れ。
【発明の詳細な説明】
【０００１】
【発明の属する技術分野】
本発明は携帯型ウェットティッシュ袋入れに関するものである。
【０００２】
【従来の技術】
家庭に常備されるウェットティッシュは円筒状の缶や箱に入れられたりしている。そして、このウェットティッシュは手拭きや、幼児のお尻拭き、ボディ拭きとして幅広く利用されている。
ところで、近年、出先で手を拭いたり、幼児のお尻などを拭いたりするために、携帯用のウェットティッシュ袋が市販されている。このウェットティッシュ袋は、袋自体が例えば軟質包装材で構成され、ウェットティッシュが封入された構造となっている。そして、このウェットティッシュ袋からのウェットティッシュの取出しは、表面に設けられたウェットティッシュ取出し口からなされるように構成されている。また、ウェットティッシュ取出し口には、粘着性を持つカバーシートが設けられ、ウェットティッシュを使用しない場合にカバーシートによってウェットティッシュ取出し口を塞ぐようになっている。
【０００３】
【発明が解決しようとする課題】
ウェットティッシュは水分を含むため肌に当てた際に冷たく感じる。そのため、お尻拭きやボディ拭きとして使用する場合等、不快感を生じる。
そこで、近年、ウェットティッシュ加熱装置として、特開平１１−１９７０４８号公報に記載のものや、特開平８−２４１５７号公報に記載のものが考えられている。
しかしながら、これら公報に記載のウェットティッシュ加熱装置は据置き型のものであり携帯に適さず、持ち運びが不便である。
【０００４】
本発明は、かかる点に鑑みなされたもので、携帯可能で、かつ、ウェットティッシュを簡単に暖められるウェットティッシュ袋入れを提供することを目的としている。
【０００５】
【課題を解決するための手段】
請求項１記載の携帯型ウェットティッシュ袋入れは、折畳み可能に構成され、少なくとも折畳み時に携帯可能な形態を有し、折畳み時に対向する面の一方に第１のポケットが、他方に第２のポケットがそれぞれ設けられ、前記第１のポケットは、ウェットティッシュが多数重畳された状態で封入された携帯用のウェットティッシュ袋が収納可能に構成されると共にポケット片にウェットティッシュ取出し用の窓を有し、前記第２のポケットは使捨てカイロが収納可能に構成されていることを特徴とする。この場合、第２のポケットの、ウエットティッシュに接する面は、ウェットティッシュの水分がカイロに影響するのを避けるために、防水性の素材で形成することが好ましい。一方、カイロの外側の面は、使捨てカイロの発熱に必要な空気を取り入れるため、通気性のある素材で形成することが好ましい。ただし、保温性が著しく阻害されるものであってはならないことは言うまでもない。また、第１のポケット及び第２のポケットは何れも市販品のウェットティッシュ袋や使捨てカイロを入れられるサイズとする。第１のポケットについては、特に、暖めることが必要なお尻拭き用又はボディ拭き用のウェットティッシュ袋のサイズとすることが好ましい。
【０００６】
この携帯型ウェットティッシュ袋入れによれば、第１のポケットには携帯用のウェットティッシュ袋が収納され、第２のポケットには使捨てカイロが収納され、折り畳んだ際に携帯型ウェットティッシュ袋のウェットティシュ取出し口側に使捨てカイロが重畳される。その結果、使捨てカイロによって、取り出すウェットティッシュが暖められることになる。したがって、暖めることが必要なお尻拭き用又はボディ拭き用のウェットティッシュ袋の場合に特に有効となる。
【０００７】
請求項２記載の携帯型ウェットティッシュ袋入れは、請求項１記載の携帯型ウェットティッシュ袋入れにおいて、カバーの一端にはフラップが設けられ、このフラップは折畳み時に前記カバーの他端を被覆するように構成されると共にホック、ボタン又は面ファスナによって該カバーの表面に係着可能に構成されていることを特徴とする。
この携帯型ウェットティッシュ袋入れによれば、カバーの一端に設けられたフラップはホック、ボタン又は面ファスナによってカバーの表面に係着されるので、バッグ感覚での携帯が可能となる。また、フラップのカバー表面への係着によって、確実に、ウェットティッシュ袋が使捨てカイロに押しつけられることから、ウェットティシュを効率的に暖めることができる。
【０００８】
請求項３記載の携帯型ウェットティッシュ袋入れは、請求項１記載の携帯型ウェットティッシュ袋入れにおいて、折畳み片の縁部同士はホック、ボタン、スライドファスナ又は面ファスナによって係着可能に構成されていることを特徴とする。
この携帯型ウェットティッシュ袋入れによれば、折畳み片の縁部同士はホック、ボタン、スライドファスナ又は面ファスナによって係着されるので、バッグ感覚での携帯が可能となる。また、フラップのカバー表面への係着によって、確実に、ウェットティッシュ袋が使捨てカイロに押しつけられることから、ウェットティシュを効率的に暖めることができる。
【０００９】
請求項４記載の携帯型ウェットティッシュ袋入れは、請求項１〜３いずれか記載の携帯型ウェットティッシュ袋入れにおいて、ストラップが設けられていることを特徴とする。
この携帯型ウェットティッシュ袋入れによれば、ストラップが設けられていることから、このストラップを利用してバッグに吊したりすることができることとなる。
【００１０】
【発明の実施の形態】
図１（ａ），（ｂ）に示す実施形態に係る携帯型ウェットティッシュ袋入れ１００は折畳み可能なカバー１０を有し、携帯可能な大きさに構成されている。
【００１１】
軟質材から構成されるカバー１０の内面にはポケット２０，３０が設けられ、このうちポケット２０にはウェットティッシュ袋４０が収納可能となっており、また、ポケット３０には使捨てカイロ５０が収納可能となっている。そして、カバー１０を折り畳んだ際、ポケット２０，３０同士が重畳されるようになっている。つまり、ポケット２０にウェットティッシュ袋４０を入れ、一方、ポケット３０に使捨てカイロ５０を入れて、カバー１０を折り畳んだ際に、ウェットティッシュ袋４０と使捨てカイロ５０とが重畳されるようになっている。
【００１２】
ここでウェットティッシュ袋４０について説明すれば、このウェットティッシュ袋４０（図２参照）は、特に限定はされないが、ウェットティッシュ袋４０の袋自体は軟質包装材から構成され、ウェットティッシュ４３が多数重畳された状態で封入されている。ウェットティッシュ袋４０の表面には開閉自在で裏面が粘着性を有するカバーシート４１が付着され、そのカバーシート４１の下側にはウェットティッシュ取出し口４２が設けられている。このティッシュ取り出し口４２からウェットティッシュ４３が取り出せるようになっている。一方、使捨てカイロ５０について説明すれば、この使捨てカイロ５０（図３参照）は、特に限定はされないが、平板状に構成され、発熱体は、公知の使捨てカイロと同様に鉄粉の酸化熱を応用したものである。
【００１３】
次に、ポケット２０の詳細を説明すれば、図１（ａ）に示すように、ポケット２０はポケット３０側に開口部２０ａを有し、この開口部２０ａからウェットティッシュ袋４０が出し入れできるようになっている。このポケット２０を画成するポケット片２０ｂには取出し用の窓２０ｃが設けられ、この窓２０ｃからウェットティッシュ４３の取出しができるように構成されている。また、ポケット片２０ｂの裏面には、面ファスナの一方を構成する紐状のフックテープ又はループテープ（ファスナ片２１）が設けられている。一方、カバー１０の内面には、面ファスナの他方を構成するループテープ又はフックテープ（ファスナ片２２）が設けられている。そして、ファスナ片２１とファスナ片２２を係合させることによって、ポケット２０の開口部２０ａの一部を塞ぐことができるように構成されている。
また、ポケット３０はポケット２０側に開口部３０ａを有し、この開口部３０ａから使捨てカイロ５０の出し入れができるようになっている。
なお、ポケット２０のサイズについて言えば、実施の形態では、現在市販されているお尻拭き用のウェットティッシュ袋（例えばＨ１３０×Ｗ９０×Ｄ２５）が入るサイズとしてある。また、ポケット３０のサイズについて言えば、実施の形態では、現在市販されている使捨てカイロ（例えばＨ１３０×Ｗ９０）が入るサイズとしてある。しかし、このサイズに限定されるものでないことは言うまでもない。
【００１４】
カバー１０について説明すれば、カバー１０には、図１（ａ），（ｂ）に示すように、ポケット３０側の一端にフラップ１１が設けられ、フラップ１１の内面には、面ファスナの一方を構成する帯状のフックテープ又はループテープ（ファスナ片１２）が設けられている。一方、カバー１０には、ポケット２０側の表面に、面ファスナの他方を構成する帯状のループテープ又はフックテープ（ファスナ片１３）が設けられている。そして、ファスナ片１２とファスナ片１３を係合させることによって、図４に示すように、携帯型ウェットティッシュ袋入れ１００はバッグの形態となるように構成されている。
なお、このカバー１０にはストラップ１４が取り付けられている。
【００１５】
続いて、携帯型ウェットティッシュ袋入れ１００の使用方法及び作用について説明する。
図１（ａ）に示すようにカバー１０を展開し、図１（ｂ）に示すように、ポケット２０にウェットティッシュ袋４０を入れ、ポケット３０に使捨てカイロ５０を入れる。その際、使捨てカイロ５０を揉んだり、振ったりしておく。そして、ファスナ片２１とファスナ片２２を係合させることによって、ポケット２０の開口部２０ａの一部を塞ぐ。これによって、ポケット２０内のウェットティッシュ袋４０を固定することができる。その後、カバー１０及びフラップ１１を折り畳み、ファスナ片１２とファスナ片１３を係合させる（図４参照）。そして、この携帯型ウェットティッシュ袋入れ１００を持ち歩く。その際、特に限定はされないが、ストラップ１４を手で持つか、携帯型ウェットティッシュ袋入れ１００を手提げ或いは肩掛けバッグに入れるか吊したりする。
【００１６】
一方、使用時には、図５に示すように、ファスナ片１２とファスナ片１３との係合を解除させ、カバー１０を展開し、カバーシート４１を一部剥離し、ウェットティッシュ取り出し口４２からウェットティッシュ４３を取り出す。
【００１７】
以上、本発明の実施形態を説明したが、本発明は、かかる実施形態に限定されず、その要旨を逸脱しない範囲で種々の変形が可能であることは言うまでもない。
【００１８】
例えば、ポケット２０のウェットティッシュ取出し口４２近くに、カバーシート４１を挟み込んで止める係止ピンを設けるなどして、ウェットティッシュ４３の取り出し時にカバーシート４１が邪魔とならないようにそのカバーシート４１を止められる構造としてもよい。
【００１９】
また、カバー１０の全部又は一部を不織布やメッシュ等の通気性に優れた素材で構成し、使捨てカイロ５０の発熱を促進するような構造とすることもできる。
【００２０】
さらに、前記実施形態の面ファスナ（ファスナ片１２，１３）の代わりにホック又はボタンを使用してもよい。
【００２１】
また、フラップ１１を設けずに、ホック、ボタン、面ファスナ又はスライドファスナを使用して折畳み片の縁部同士を係着するようにしてもよい。
【００２２】
【発明の効果】
本発明によれば、携帯可能で、かつ、ウェットティッシュを簡単に暖められる携帯型ウェットティッシュ袋入れが実現できる。
【図面の簡単な説明】
【図１】本発明に係る携帯型ウェットティッシュ袋入れを展開した状態の斜視図である。
【図２】携帯用のウェットティッシュ袋の斜視図である。
【図３】使捨てカイロの斜視図である。
【図４】本発明に係る携帯型ウェットティッシュ袋入れを折り畳んだ状態の斜視図である。
【図５】本発明に係る携帯用ウェットティッシュ袋入れの使用状態を示す斜視図である。
【符号の説明】
１００    携帯型ウェットティッシュ袋入れ
１０    カバー
１１    フラップ
１２    ファスナ片
１３    ファスナ片
１４    ストラップ
２０    ポケット
３０    ポケット
４０    携帯用のウェットティッシュ袋
５０    使捨てカイロ
【図１】
0003798649.tif 000002
【図２】
0003798649.tif 000003
【図３】
0003798649.tif 000004
【図４】
0003798649.tif 000005
【図５】
0003798649.tif 000006